(57)【特許請求の範囲】
【請求項１】
吸引口と排出口を有し、吸引口から吸引した液状廃棄物を収容し、収容された液状廃棄物を外から視認出来るキャニスターボトルをｎ個（ｎ≧３）連結した多連型液状廃棄物処理装置であって、
第１のキャニスターボトルの排出口と第２のキャニスターボトルの吸引口、第２のキャニスターボトルの排出口と第３のキャニスターボトルの吸引口、…第ｎ−１のキャニスターボトルの排出口と第ｎのキャニスターボトルの吸引口とを連結し、
これらキャニスターボトルは、第１のキャニスターボトルから第ｎのキャニスターボトルの順番で一直線上に配置し、
前記キャニスターボトル内の上端部内側には前記キャニスターボトル内から空気を排出して内部を負圧にするための一次側吸引ホースにそれぞれ並列に接続された各吸引通路に連通される排気口の吸引通路を閉塞し得るストップバルブが設けられ、
前記ストップバルブは前記キャニスターボトル内のフロートが天端部まで浮上しない間は前記ストップバルブの自重により下方位置に維持されて前記吸引通路を確保し、
前記液状廃棄物が前記キャニスターボトル内部に吸引されて該液状廃棄物により浮上したフロートが上昇して前記キャニスターボトルの天端部まで到達した際に該フロートの天端面が前記ストップバルブに当接して該ストップバルブの自重に抗して該ストップバルブを上昇させ、前記吸引通路を閉塞することを特徴とする多連型液状廃棄物処理装置。
【請求項２】
前記キャニスターボトルは、外容器と、該外容器内に収容され、内側に凝固剤を有する内袋とから構成されたことを特徴とする請求項１に記載の多連型液状廃棄物処理装置。
【請求項３】
前記キャニスターボトルの内袋は、その内側に、比重が１より小さく、且つ前記凝固剤を保持したフロートを有することを特徴とする請求項２に記載の多連型液状廃棄物処理装置。
【発明の詳細な説明】
【０００１】
【発明の属する技術分野】
本発明は、例えば医療現場において廃棄する必要のある血液やその他の体液や分泌物、或いは膿汁または患部の洗浄に使用した生理食塩水等の液状廃棄物を吸引して凝固処理し、廃棄するための液状廃棄物処理装置に関するものである。
【０００２】
【従来の技術】
医療現場において、特に外科手術を行う際に生じる廃棄する必要のある血液やその他の体液や分泌物、或いは膿汁または患部の洗浄に使用した生理食塩水等の液状廃棄物は、吸引機で容器や収集袋に集められて廃棄焼却処分される。
【０００３】
しかし、かかる液状廃棄物には有害な細菌等が含まれている場合があり、容器や収集袋が破損したり、液状廃棄物を収集袋の容量以上に過剰に吸引してしまった場合、液状廃棄物が外部に漏れ、医療従事者、入院患者等に二次感染する虞がある。
【０００４】
これを防止するため収集袋内に吸水性材料を配置し、液状廃棄物を凝固させる装置が存在するが、収集袋内に液状廃棄物を凝固させる吸水性材料を配置する方法として、非透水性のシートと吸水性シートを貼り合わせ、吸水性シートが内面側になるように収集袋を形成するものや、収集袋内に液状廃棄物を吸引した後に用意しておいた吸水性材料を投下するもの、また収集袋底部に吸水性材料を固着させておくもの等がある。
【０００５】
また、液状廃棄物の収集処理能力を増大するために収集袋を２連にしたものや同一円周上に車座に４連或いは６連にしたものが提案されている。
【０００６】
【発明が解決しようとする課題】
しかしながら、前述の従来例において、液状廃棄物の収集処理能力を増大するために収集袋を同一円周上に車座に多数連結した場合には、一方向から全ての収集袋を見通すことが出来ないため処理装置の使用者はあとどれくらいの収容許容量があるかを容易に確認することが出来なかった。
【０００７】
また、非透水性のシートと吸水性のシートを貼り合わせて構成した処理装置は、多重構造をなしているため内部が不可視となり、また折り畳みにくく、収納および運搬に不便があった。
【０００８】
また収集袋内に液状廃棄物を吸引した後に投下する吸水性材料を用意した処理装置においては、当然吸水性材料を投下するまで凝固が起こらないため、作業途中で転倒させた場合に不安が残り、また一度凝固させた後に追加して吸引を行うことが出来なかった。
【０００９】
また、収集袋底部に吸水性材料を固着させた処理装置においては、液状廃棄物の吸引が進行するにつれて凝固速度が低下するという問題があった。
【００１０】
本発明は前記課題を解決するものであり、その目的とするところは、液状廃棄物の収集処理能力を増大しても内容量の視認が容易であり、吸引した液状廃棄物をより早く凝固させることが出来る多連型液状廃棄物処理装置を提供することにある。
【００１１】
【課題を解決するための手段】
前記目的を達成するための本発明に係る多連型液状廃棄物処理装置は、吸引口と排出口を有し、吸引口から吸引した液状廃棄物を収容し、収容された液状廃棄物を外から視認出来るキャニスターボトルをｎ個（ｎ≧３）連結した多連型液状廃棄物処理装置であって、第１のキャニスターボトルの排出口と第２のキャニスターボトルの吸引口、第２のキャニスターボトルの排出口と第３のキャニスターボトルの吸引口、…第ｎ−１のキャニスターボトルの排出口と第ｎのキャニスターボトルの吸引口とを連結し、これらキャニスターボトルは、第１のキャニスターボトルから第ｎのキャニスターボトルの順番で一直線上に配置し、前記キャニスターボトル内の上端部内側には前記キャニスターボトル内から空気を排出して内部を負圧にするための一次側吸引ホースにそれぞれ並列に接続された各吸引通路に連通される排気口の吸引通路を閉塞し得るストップバルブが設けられ、前記ストップバルブは前記キャニスターボトル内のフロートが天端部まで浮上しない間は前記ストップバルブの自重により下方位置に維持されて前記吸引通路を確保し、前記液状廃棄物が前記キャニスターボトル内部に吸引されて該液状廃棄物により浮上したフロートが上昇して前記キャニスターボトルの天端部まで到達した際に該フロートの天端面が前記ストップバルブに当接して該ストップバルブの自重に抗して該ストップバルブを上昇させ、前記吸引通路を閉塞することを特徴とする。
【００１２】
本発明は、上述の如く構成したので、キャニスターボトルは、第１のキャニスターボトルから第ｎ（ｎ≧３）のキャニスターボトルの順番で一直線上に配置したことで一方向から全てのキャニスターボトルを見通すことが出来、液状廃棄物はキャニスターボトルの配列順である第１のキャニスターボトルから第ｎのキャニスターボトルの順に収容されるので、該処理装置の使用者はあとどれくらいの収容許容量があるかを容易に確認することが出来る。
【００１３】
また、前記キャニスターボトルが、外容器と、該外容器内に収容され、内側に凝固剤を有する内袋とから構成された場合には、液状廃棄物を内袋内で凝固させて、内袋ごと廃棄処理することが出来、衛生的な処理装置とすることが出来る。
【００１４】
また、前記キャニスターボトルの内袋が、その内側に比重が１より小さく、且つ前記凝固剤を保持したフロートを有する場合には、フロートが常に気液界面に浮上した位置に維持されるためフロートの位置を確認することで液面の位置を外から確認することが出来、使用者は確実にキャニスターボトルの使用状態と、残存許容容量を確認することが出来る。
【００１５】
【発明の実施の形態】
図により本発明に係る多連型液状廃棄物処理装置の一実施形態を具体的に説明する。図１は本発明に係る多連型液状廃棄物処理装置の構成を示す外観正面図、図２は本発明に係る多連型液状廃棄物処理装置の構成を示す外観平面図、図３は本発明に係る多連型液状廃棄物処理装置の構成を示す外観側面図である。
【００１６】
また、図４は本発明に係る多連型液状廃棄物処理装置の吸引通路を説明する横断面説明図、図５は本発明に係る多連型液状廃棄物処理装置の吸引通路を説明する縦断面説明図である。
【００１７】
また、図６（ａ）はキャニスターボトルの内袋と該内袋内に収容された凝固剤を保持したフロートの構成を示す外観正面図、図６（ｂ）はキャニスターボトルの内袋の構成を示す外観平面図、図７（ａ）は図６（ｂ）のＡ−Ｂ断面図であって、キャニスターボトルの内袋と該内袋内に収容された凝固剤を保持したフロートの構成を示す図、図７（ｂ）は図６（ｂ）のＣ−Ｄ断面図である。
【００１８】
また、図８は内袋の天端に設けられた蓋に設けられた吸引口と閉塞栓とに接続管或いはペイシェントホースを接続した際の弁部材の作用を示す説明図、図９はフロートの構成を示す斜視説明図、図10はフロートの分解斜視図、図11は本発明に係る多連型液状廃棄物処理装置において液状廃棄物を吸引して収容する様子を示す図である。
【００１９】
以下に説明する実施形態は医療用の液状廃棄物の処理装置であって、手術、治療中に発生する廃棄すべき血液やその他の体液や分泌物、或いは膿汁または患部の洗浄に使用した生理食塩水等の液状廃棄物21をキャニスターボトルＥの内袋となるライナーＬ内に吸引し、これをライナーＬごと焼却処分する液状廃棄物の処理装置の一例である。
【００２０】
図１〜図５に示すように、多連型液状廃棄物処理装置１は液状廃棄物21を収容する内袋となるライナーＬと、該ライナーＬを着脱可能に収納する外容器となるボトルＭとからなるキャニスターボトルＥが少なくとも３個以上一直線上に配置されてスタンド２により支持されている。
【００２１】
図４及び図５に示すボトルＭはスタンド２に対して着脱可能に支持されており、該スタンド２の脚部にはキャスター２ａが取り付けられている。これにより３個以上の複数のキャニスターボトルＥがスタンド２により一直線上に配置して支持された状態で安定して移動可能になっている。
【００２２】
ボトルＭは、円筒形の透明なプラスチック容器であって、その背面側にスタンド２に着脱可能に係合し得る係合部が設けられており、表面には容量を示す目盛りがきってある。
【００２３】
ライナーＬは低密度ポリエチレン製で可撓性の円筒形の透明な袋の開口部に円形のプラスチック製の蓋３を熱溶着して一体化したものである。従って、ボトルＭの内部にライナーＬを収容したキャニスターボトルＥはライナーＬ内に吸引されて収容された液状廃棄物21を外から容易に視認出来、ボトルＭの表面に設けられた目盛りにより液状廃棄物21の量及び残存許容容量を確認することが出来る。
【００２４】
また、ライナーＬ内の底部４上には、比重が１よりも小さく、凝固剤となる吸水性ポリマー等の吸水性材料６を保持したフロート５が浮上可能に載置されている。
【００２５】
蓋３にはライナーＬの内部に連通する液状廃棄物21の吸引口７と排出口８が設けられており、吸引口７からライナーＬ内へ液状廃棄物21を吸い込み、排出口８から隣設されたライナーＬの吸引口７へ液状廃棄物21を排出する。
【００２６】
また、蓋３の中央部にはライナーＬの内部に連通して該ライナーＬ内から空気を排出して内部を負圧にするための排気口９が設けられている。また、蓋３の外周部には把手10ａが設けられたリング状のホルダ10が嵌合して係止されている。
【００２７】
ホルダ10は、ボトルＭの開口周縁に嵌め込んで固定するプラスチックからなる環状体に把手10ａを一体的に成形したものである。
【００２８】
ライナーＬをボトルＭ内に挿入する際には、図２、図３及び図５に示すスタンド２に対して回動軸12ａを中心に回動可能に設けられたキャニスターヘッド12を上方向に回動して開放し、スタンド２に一直線上に配列して固定された４個のボトルＭ１，Ｍ２，Ｍ３，Ｍ４に夫々ライナーＬ１，Ｌ２，Ｌ３，Ｌ４を挿入する。
【００２９】
図４及び図５に示すように、ライナーＬをボトルＭ内に挿入した際、該ライナーＬの天端部に設けられた蓋３の外周部に嵌合されたホルダ10の円筒部がボトルＭの開口部に嵌入されると共に該ボトルＭの開口周縁に設けられたパッキン11にホルダ10の鍔部が当接する。
【００３０】
そして、キャニスターヘッド12を回動軸12ａを中心に下方向に回動させて閉じることで、図５に示すようにキャニスターヘッド12に設けられた吸引通路13がライナーＬの蓋３に設けられた排気口９に連結されて連通し、これと同時に蓋３及びホルダ10が一体的にスタンド２に固定されたボトルＭに押圧されてパッキン11を介してライナーＬとボトルＭとの間の空間が気密的に密封された状態でライナーＬの蓋３がホルダ10を介してボトルＭに固定される。
【００３１】
第１のキャニスターボトルＥ１から、第２、第３、第４のキャニスターボトルＥ２，Ｅ３，Ｅ４の順番で一直線上に配置された第１のライナーＬ１の蓋３に設けられた吸引口７にはペイシェントホース14が連結され、該ペイシェントホース14はその先端を手術、治療中に発生する廃棄すべき血液やその他の体液や分泌物、或いは膿汁または患部の洗浄に使用した生理食塩水等の液状廃棄物21を吸引すべき患者の患部等に当てて該液状廃棄物21を吸引する。
【００３２】
また、第１のライナーＬ１の蓋３に設けられた排出口８には接続管15を介して第２のライナーＬ２の蓋３に設けられた吸引口７が連結され、第２のライナーＬ２の蓋３に設けられた排出口８には接続管15を介して第３のライナーＬ３の蓋３に設けられた吸引口７が連結され、第３のライナーＬ３の蓋３に設けられた排出口８には接続管15を介して第４のライナーＬ４の蓋３に設けられた吸引口７が連結される。
【００３３】
また、第４のライナーＬ４の蓋３に設けられた排出口８には接続管15を介して該第４のライナーＬ４の蓋３に設けられた閉塞栓16に連結されている。
【００３４】
接続管15の一端部は各ライナーＬの蓋３に設けられた排出口８に対して回動自在且つ気密的に連結されており、排出口８を中心に接続管15を回動させて隣接されるライナーＬの蓋３に形成された吸引口７或いは閉塞栓16に接続管15の他端部を選択的に連結出来るようになっている。
【００３５】
接続管15の他端部には弁部材15ａが設けてあり、図８（ａ）に示すように、接続管15の他端部を吸引口７に接続した場合には、該吸引口７の開口部周辺に設けられた突起部７ａが弁部材15ａに設けられたゴム弁15a1を押し上げて開放すると共に該吸引口７の開口部内壁面に弁部材15ａの外周部に設けられたＯリング15ｂが圧接されて気密性が保持された状態で接続管15と吸引口７とが連通する。
【００３６】
また、図８（ｂ）に示すように、接続管15の他端部を閉塞栓16に接続した場合には、ゴム弁15a1は閉じたままで該閉塞栓16の開口部内壁面に弁部材15ａの外周部に設けられたＯリング15ｂが圧接されて気密性が保持された状態で接続管15が閉塞される。
【００３７】
同様にペイシェントホース14の処理装置１側に接続される端部にも同様な弁部材14ａが設けてあり、ペイシェントホース14の端部を吸引口７に接続した状態で該吸引口７の開口部周辺に設けられた突起部７ａが弁部材14ａに設けられたゴム弁14a1を押し上げて開放すると共に該吸引口７の開口部内壁面に弁部材14ａの外周部に設けられたＯリング14ｂが圧接されて気密性が保持された状態でペイシェントホース14と吸引口７とが連通する。
【００３８】
図２及び図５に示すように、スタンド２には吸引圧力（真空圧）を調整するための調整ハンドル17ａを有するコントローラ17が設けられており、医療ガス配管設備の吸引配管設備の吸引配管の末端取り出し口（アウトレットバルブ）或いはエアポンプに接続された一次側吸引ホース18に接続されたコントローラ17の調整吸引圧力により吸引通路13、排気口９の吸引通路20を介してライナーＬの内部が負圧にされる。
【００３９】
一方、図５に示すように、吸引通路13には、吸引通路19が連通されており、該吸引通路19はボトルＭとライナーＬとの隙間空間に連結されている。そして、ライナーＬの内部の吸引圧力と、ボトルＭとライナーＬとの隙間空間の吸引圧力とが等しい吸引圧力で負圧にされるためボトルＭ内においてライナーＬの内外の気圧が等しくなり、可撓性のシートによって構成されたライナーＬが伸縮することなく図５に示す状態で維持され、安定した吸引を行うことが出来る。
【００４０】
排気口９のライナーＬ内の端部内側にはストップバルブ９ａが設けられており、該ストップバルブ９ａは図11のキャニスターボトルＥ２，Ｅ３，Ｅ４に示すようにフロート５が天端部まで浮上しない間は、該ストップバルブ９ａの自重により下方位置に維持されており、これによりライナーＬ内部から吸引通路13に連通する吸引通路20が確保されている。
【００４１】
一方、図11のキャニスターボトルＥ１に示すように、液状廃棄物21がライナーＬ内部に吸引されて該液状廃棄物21により浮上したフロート５が上昇してライナーＬの天端まで到達した際に、該フロート５の天端面5b1がストップバルブ９ａに当接して該ストップバルブ９ａの自重に抗して該ストップバルブ９ａを上昇させ、ライナーＬ内部から吸引通路13に連通する吸引通路20を閉塞する。
【００４２】
ストップバルブ９ａが上昇して一旦、吸引通路20が閉塞されると、該ストップバルブ９ａは排気の吸引力をもって、その上部に設けられた筒体９ｂに密着し、吸引通路20を閉塞した状態で保持される。
【００４３】
ライナーＬの底部４上には図９及び図10に示すフロート５が載置されている。フロート５はその比重が１より小さくなるよう構成され、図11に示すようにライナーＬ内に液状廃棄物21が流入した際には常に該液状廃棄物21の水準まで浮上して気液界面に位置する。
【００４４】
フロート５は環状体５ａの内面縁部に凝固剤となる吸水性ポリマー等の吸水性材料６を充填して保持するカップ部５ｂがふせた形状で支持されており、本実施形態の環状体５ａ及びカップ部５ｂは比重が１より小さいポリプロピレンによって形成されている。
【００４５】
図４〜図７に示すように、フロート５の環状体５ａの外径はライナーＬの内径よりも小さく形成されており、該フロート５をライナーＬの内部に収容した状態ではカップ部５ｂの下方が開放されている。
【００４６】
フロート５のカップ部５ｂに吸水性材料６を充填する際には、図10に示すように、フロート５を逆さまにした状態でカップ部５ｂに吸水性材料６を充填した後、カップ部５ｂの周縁部に和紙等の透水性シート22を覆った状態で固定リング23を嵌合させ、該カップ部５ｂの周縁部に形成された段部5b2に固定リング23の爪部23ａを係止する。
【００４７】
そして、吸引口７からライナーＬ内に吸引された液状廃棄物21は該ライナーＬとフロート５の環状体５ａとの隙間、或いは環状体５ａとカップ部５ｂとの隙間を通って下側へ回り込み、カップ部５ｂの周縁部に展張された透水性シート22に浸透して吸水性材料６に接触し、該吸水性材料６が膨張して該透水性シート22が破れ、吸水性材料６がライナーＬ内に収容された液状廃棄物21に溶け込んで該液状廃棄物21をゲル状に凝固させる。
【００４８】
次に上記液状廃棄物処理装置１の使用手順および動作について詳細に説明する。ライナーＬはホルダ10が取り付けられた状態でビニールの包装容器に密封する等して保存、輸送される。この時、ホルダ10に設けられた把手10ａは蓋３の両側へ倒すことが出来、ライナーＬ自体が可撓性を有するため比較的コンパクトに保存、輸送することが出来る。
【００４９】
また、使用に際しては、スタンド２に一直線上に配置されたボトルＭの数だけライナーＬを用意し、先ず、調整ハンドル17ａを図２の反時計回り方向に廻してコントローラ17をＯＦＦの状態にし、一次側吸引ホース18のアダプタ18ａを図示しない医療ガス配管設備の末端取出口或いはエアポンプに接続する。
【００５０】
次に、スタンド２のキャニスターヘッド12を開放して該ライナーＬを全てのボトルＭの内部に挿入し、各ライナーＬの天端部に設けられた蓋３に形成された排出口８に回転自在に取り付けられて付属された接続管15を図４の左側に隣接するライナーＬの天端部に設けられた蓋３に形成された吸引口７に差し込んで接続する。
【００５１】
そして、第１のキャニスターボトルＥ１のライナーＬ１の天端部に設けられた蓋３に形成された吸引口７にペイシェントホース14の弁部材14ａが設けられた側の一端を差し込んで接続すると共に、最終段となる第４のキャニスターボトルＥ４のライナーＬ４の天端部に設けられた蓋３に形成された排出口８に接続された接続管15を該ライナーＬ４の蓋３に形成された閉塞栓16に差し込んで閉塞する。
【００５２】
次にキャニスターヘッド12を閉じてスタンド２にロックする。図４に示すように、吸引を開始する前はフロート５は該フロート５自身の自重によりライナーＬの底部４上に位置している。
【００５３】
次にコントローラ17の調整ハンドル17ａを図２の時計回り方向に廻してＯＮの状態にし、所定の吸引圧力に調整する。この時、一次側吸引ホース18の負圧は各キャニスターヘッド12に形成された吸引通路13、各ライナーＬの天端部に設けられた蓋３に形成された排気口９の吸引通路20を介してライナーＬ内を負圧にすると共に、各ボトルＭと各ライナーＬとの隙間に連通する吸引通路19を介して該ボトルＭとライナーＬとの間の隙間を負圧にする。
【００５４】
この時、ペイシェントホース14の先端を閉じてライナーＬ内に吸引圧力があることを確認すると共にライナーＬがボトルＭに沿って膨らむことを確認する。
【００５５】
ペイシェントホース14の先端を患者の患部等に当てて、液状廃棄物21の吸引を開始すると、図11に示すように、液状廃棄物21はペイシェントホース14から第１のキャニスターボトルＥ１のライナーＬ１の蓋３に形成された吸引口７を介して該ライナーＬ１内に導かれる。
【００５６】
ライナーＬ１内に吸引された液状廃棄物21はライナーＬ１とフロート５の環状体５ａとの間の隙間、或いはフロート５の環状体５ａとカップ部５ｂとの隙間を通って該フロート５の下側に達する。
【００５７】
すると、フロート５は比重が１より小さいことにより液状廃棄物21の水準に位置し、気液界面に浮かびながら、フロート５のカップ部５ｂの下面外周縁に展張された透水性シート22を液状廃棄物21が浸透して吸水性材料６に接触し、該吸水性材料６が膨張して透水性シート22が破れ、吸水性材料６が液状廃棄物21内に拡散し、該液状廃棄物21をゲル状に凝固する。
【００５８】
また、液状廃棄物21の吸引が進行した場合にもフロート５は常に気液界面に存在し、後から吸引された液状廃棄物21に効果的に吸水性材料６を拡散させ、該液状廃棄物21をゲル状に凝固させることが出来る。
【００５９】
また、フロート５が常に気液界面にあることから、吸引された液状廃棄物21の量を容易に視認することが出来、レベルゲージとしての機能も果たすことが出来る。このためフロート５の環状体５ａやカップ部５ｂ等を液状廃棄物21の色と識別がし易い色や蛍光色等の目立つ色の材料で成形すればより好適である。
【００６０】
図11に示すように、液状廃棄物21の吸引作業が進行すると、フロート５がライナーＬの天端部まで上昇して、フロート５のカップ部５ｂの天端面5b1がストップバルブ９ａの自重に抗して該ストップバルブ９ａを押し上げ、図11の第１のキャニスターボトルＥ１に示すように、吸引通路20が閉塞されて排気口９からの吸引圧が停止する。
【００６１】
ライナーＬ１内の吸引圧が停止すると、図11の左側に隣接する次のライナーＬ２の吸引圧がスタンド２の吸引通路13、ライナーＬ２の排気口９の吸引通路20、ライナーＬ２、該ライナーＬ２の吸引口７、接続管15及びライナーＬ１の排出口８を介してライナーＬ１内に作用し、該ライナーＬ１内でフロート５よりも上方に吸引された未だゲル化していない液状廃棄物21がライナーＬ１の排出口８、接続管15、ライナーＬ２の吸引口７を介して該ライナーＬ２内に吸引される。
【００６２】
ライナーＬ２内に収容される液状廃棄物21の水準（水位）が上昇すると前述のライナーＬ１と同様にフロート５が液状廃棄物21の水準位置に浮上し、該フロート５がライナーＬ２の天端部に到達すると、該フロート５の天端面5b1によりストップバルブ９ａが押し上げられて吸引通路20が閉塞されてライナーＬ２内の吸引圧が停止する。
【００６３】
同様にライナーＬ２に隣設されたライナーＬ３の吸引圧によりライナーＬ２内でフロート５よりも上方に吸引された液状廃棄物21はライナーＬ２の排出口８、接続管15、ライナーＬ３の吸引口７を介して該ライナーＬ３内に吸引される。
【００６４】
更に同様にライナーＬ３内に収容される液状廃棄物21の水準（水位）が上昇すると前述のライナーＬ１，Ｌ２と同様にフロート５が液状廃棄物21の水準位置に浮上し、該フロート５がライナーＬ３の天端部に到達すると、該フロート５の天端面5b1によりストップバルブ９ａが押し上げられて吸引通路20が閉塞され、ライナーＬ３内の吸引圧が停止する。
【００６５】
同様にライナーＬ３に隣設されたライナーＬ４の吸引圧によりライナーＬ３内でフロート５よりも上方に吸引された液状廃棄物21はライナーＬ３の排出口８、接続管15、ライナーＬ４の吸引口７を介して該ライナーＬ４内に吸引される。
【００６６】
同様にライナーＬ４内に収容される液状廃棄物21の水準（水位）が上昇すると前述のライナーＬ１，Ｌ２，Ｌ３と同様にフロート５が液状廃棄物21の水準位置に浮上し、該フロート５がライナーＬ４の天端部に到達すると、該フロート５の天端面5b1によりストップバルブ９ａが押し上げられて吸引通路20が閉塞され、ライナーＬ４内の吸引圧が停止する。
【００６７】
このように、全ライナーＬが液状廃棄物21で満杯になる前にフロート５により作動するストップバルブ９ａにより自動的に液状廃棄物21の吸引が停止し、各ライナーＬに過剰に吸引してエアポンプ等を故障させる虞がない。
【００６８】
使用後、ライナーＬをボトルＭから取り外す際には、スタンド２のキャニスターヘッド12を開放して各ライナーＬの蓋３に設けられた排出口８に一端が回転自在に取り付けられた接続管15の他端部を同蓋３に設けられた吸引口７に差し込んで接続すると共に、図６（ｂ）及び図７（ａ）に示すように予め蓋３に装備されたキャップ24を各ライナーＬの蓋３に設けられた排気口９に被せてライナーＬを密閉した上で、ホルダ10の把手10ａを用いてライナーＬを引き上げることでボトルＭから簡単に脱離することが出来、ライナーＬごと焼却等により廃棄することが出来る。
【００６９】
ライナーＬ内の液状廃棄物21は吸水性材料６によりゲル化して凝固しており、ライナーＬの底部４の働きにより該ライナーＬを単体で立てて取り扱うことが出来る。
【００７０】
また、ペイシェントホース14或いは接続管15の弁部材14ａ，15ａのゴム弁14a1，15a1の作用によりペイシェントホース14或いは接続管15を吸引口７から引き抜いた際にペイシェントホース14或いは接続管15内に残留した液状廃棄物21が垂れ落ちる虞がない。
【００７１】
尚、本実施形態では４つのキャニスターボトルＥ１，Ｅ２，Ｅ３，Ｅ４を一直線上に配置して各ライナーＬの蓋３に設けられた排出口８と、隣接するライナーＬの蓋３に設けられた吸引口７とを連結した一例を示したが、キャニスターボトルＥを３個以上のｎ個（ｎ≧３）連結して一直線上に配置し、第１のキャニスターボトルＥ１のライナーＬ１の蓋３に設けられた排出口８と、第２のキャニスターボトルＥ２のライナーＬ２の蓋３に設けられた吸引口７とを連結し、第２のキャニスターボトルＥ２のライナーＬ２の蓋３に設けられた排出口８と、第３のキャニスターボトルＥ３のライナーＬ３の蓋３に設けられた吸引口７とを連結し、…第ｎ−１のキャニスターボトルＥｎ−１のライナーＬｎ−１の蓋３に設けられた排出口８と、第ｎのキャニスターボトルＥｎのライナーＬｎの蓋３に設けられた吸引口７とを連結して構成すれば良い。
【００７２】
上記構成によれば、キャニスターボトルＥは、第１のキャニスターボトルＥ１から第ｎ（ｎ≧３）のキャニスターボトルＥｎの順番で一直線上に配置したことで一方向から全てのキャニスターボトルＥを見通すことが出来、液状廃棄物21はキャニスターボトルＥの配列順である第１のキャニスターボトルＥ１から第ｎのキャニスターボトルＥｎの順に収容されるので、該処理装置の使用者はあとどれくらいの収容許容量があるかを容易に確認することが出来る。
【００７３】
また、キャニスターボトルＥが、外容器となるボトルＭ、該ボトルＭ内に収容され、内側に凝固剤となる吸水性材料６を有する内袋となるライナーＬから構成されたことで、液状廃棄物21をライナーＬ内で凝固させて、ライナーＬごと廃棄処理することが出来、衛生的な処理装置とすることが出来る。
【００７４】
また、キャニスターボトルＥのライナーＬが、その内側に比重が１より小さく、吸水性材料６を保持したフロート５を有することで、該フロート５が常に気液界面に浮上した位置に維持されるためフロート５の位置を確認することで液状廃棄物21の液面の位置を外から確認することが出来、使用者は確実にキャニスターボトルＥの使用状態と、残存許容容量を確認することが出来る。
【００７５】
尚、前記実施形態では、フロート５の環状体５ａ及びカップ部５ｂ及び固定リング23は比重が１より小さいポリプロピレンによって形成したが、フロート５の比重が１より小さくなりさえすればその材質を限定しない。
【００７６】
また、フロート５の形状をカップをふせた形としたが、本発明はこれに限定するものではなく、天端面5b1と同様な上面を有する円筒や多角形の筒、またリング状の浮きの中央部分にアームによって吸水性材料６を保持するもの等、すなわち下方が開放されたものであれば良い。また、吸水性材料６を保持する保持容器となるカップ部５ｂ内部に空気がたまらないよう空気抜きの穴や切れ込み等を有するのも好ましい。
【００７７】
また、カップ部５ｂ内に吸水性材料６を保持する保持手段として該カップ部５ｂの開口部を覆う和紙等の透水性シート22を用いたが、吸水性材料６の保持手段は他にも、例えば水によって溶解する充填材によって吸水性材料６を固着したり、水によって分解する不織紙または不織布によって保持したりする等様々な保持手段が考えられる。
【００７８】
尚、前記実施形態では可撓性を有するライナーＬの内部にフロート５が収容される一例について説明したが、該フロート５を可撓性を有さない容器内に収容して同様に適用することも可能である。
【００７９】
【発明の効果】
本発明は、上述の如き構成と作用とを有するので、液状廃棄物の収集処理能力を増大しても内容量の視認が容易であり、吸引した液状廃棄物をより早く凝固させることが出来る。
【００８０】
即ち、キャニスターボトルは、第１のキャニスターボトルから第ｎ（ｎ≧３）のキャニスターボトルの順番で一直線上に配置したことで一方向から全てのキャニスターボトルを見通すことが出来、液状廃棄物はキャニスターボトルの配列順である第１のキャニスターボトルから第ｎのキャニスターボトルの順に収容されるので、該処理装置の使用者はあとどれくらいの収容許容量があるかを容易に確認することが出来る。
【００８１】
また、キャニスターボトルが、外容器と、該外容器内に収容され、内側に凝固剤を有する内袋とから構成された場合には、液状廃棄物を内袋内で凝固させて、内袋ごと廃棄処理することが出来、衛生的な処理装置とすることが出来る。
【００８２】
また、キャニスターボトルの内袋が、その内側に比重が１より小さく、且つ前記凝固剤を保持したフロートを有する場合には、フロートが常に気液界面に浮上した位置に維持されるためフロートの位置を確認することで液面の位置を外から確認することが出来、使用者は確実にキャニスターボトルの使用状態と、残存許容容量を確認することが出来る。
【００８３】
また、液状廃棄物を吸引した際に、比重が１より小さいフロートは常に液状廃棄物の気液界面に位置することになり、常に新たに吸引された液状廃棄物に対して吸水性材料を拡散させることが出来、液状廃棄物の凝固を早く効果的に行うことが出来る。
【００８４】
また、一度吸引を休止した後に再度吸引を行った際にも、迅速に凝固を進行させることが出来、当該フロートが気液界面に常にあることにより、内容量を示すレベルゲージとしての機能も持たせることが出来る。また、構造が簡単なため製造コストが安価である。
【図面の簡単な説明】
【図１】  本発明に係る多連型液状廃棄物処理装置の構成を示す外観正面図である。
【図２】  本発明に係る多連型液状廃棄物処理装置の構成を示す外観平面図である。
【図３】  本発明に係る多連型液状廃棄物処理装置の構成を示す外観側面図である。
【図４】  本発明に係る多連型液状廃棄物処理装置の吸引通路を説明する横断面説明図である。
【図５】  本発明に係る多連型液状廃棄物処理装置の吸引通路を説明する縦断面説明図である。
【図６】  （ａ）はキャニスターボトルの内袋と該内袋内に収容された凝固剤を保持したフロートの構成を示す外観正面図、（ｂ）はキャニスターボトルの内袋の構成を示す外観平面図である。
【図７】  （ａ）は図６（ｂ）のＡ−Ｂ断面図であって、キャニスターボトルの内袋と該内袋内に収容された凝固剤を保持したフロートの構成を示す図、（ｂ）は図６（ｂ）のＣ−Ｄ断面図である。
【図８】  内袋の天端に設けられた蓋に設けられた吸引口と閉塞栓とに接続管或いはペイシェントホースを接続した際の弁部材の作用を示す説明図である。
【図９】  フロートの構成を示す斜視説明図である。
【図10】  フロートの分解斜視図である。
【図11】  本発明に係る多連型液状廃棄物処理装置において液状廃棄物を吸引して収容する様子を示す図である。
【符号の説明】
Ｅ，Ｅ１，Ｅ２，Ｅ３，Ｅ４…キャニスターボトル、Ｌ，Ｌ１，Ｌ２，Ｌ３，Ｌ４…ライナー、Ｍ，Ｍ１，Ｍ２，Ｍ３，Ｍ４…ボトル、１…処理装置、２…スタンド、２ａ…キャスター、３…蓋、４…底部、５…フロート、５ａ…環状体、５ｂ…カップ部、5b1…天端面、5b2…段部、６…吸水性材料、７…吸引口、７ａ…突起部、８…排出口、９…排気口、９ａ…ストップバルブ、９ｂ…筒体、10…ホルダ、10ａ…把手、11…パッキン、12…キャニスターヘッド、12ａ…回動軸、13…吸引通路、14…ペイシェントホース、14ａ…弁部材、14a1…ゴム弁、14ｂ…Ｏリング、15…接続管、15ａ…弁部材、15a1…ゴム弁、15ｂ…Ｏリング、16…閉塞栓、17…コントローラ、17ａ…調整ハンドル、18…一次側吸引ホース、18ａ…アダプタ、19，20…吸引通路、21…液状廃棄物、22…透水性シート、23…固定リング、23ａ…爪部、24…キャップ
【図１】
0004528399.tif 000002
【図２】
0004528399.tif 000003
【図３】
0004528399.tif 000004
【図４】
0004528399.tif 000005
【図５】
0004528399.tif 000006
【図６】
0004528399.tif 000007
【図７】
0004528399.tif 000008
【図８】
0004528399.tif 000009
【図９】
0004528399.tif 000010
【図１０】
0004528399.tif 000011
【図１１】
0004528399.tif 000012